(57)【要約】【課題】筐体同士をスムーズにスライドさせることができる携帯端末を提供する。【解決手段】本発明の携帯端末１は、操作部５が設けられた第１筐体２と、表示部４が設けられた第２筐体３と、第２筐体３を、第１筺体２に対してスライド移動させるスライド手段１０と、を備え、スライド手段１０は、一対のガイド部材２０を有し、一対のガイド部材２０は、互いに連結されており、スライド移動の際に、一方が回動するのに伴って他方も同期して回動する。【選択図】図４
2009027499.tif 000002
【特許請求の範囲】
【請求項１】
操作部が設けられた第１筐体と、
表示部が設けられた第２筐体と、
前記第２筐体を、前記第１筺体に対してスライド移動させるスライド手段と、を備え、
前記スライド手段は、一対のガイド部材を有し、
前記一対のガイド部材は、互いに連結されており、前記スライド移動の際に、一方が回動するのに伴って他方も同期して回動することを特徴とする携帯端末。
【請求項２】
前記一対のガイド部材は、前記ガイド部材の回動の中心となる回動軸と、回動する側の回動端部とを有し、スライド時に前記回動端部がスライド方向に平行な直線に対して線対称となる軌跡に沿って移動する 請求項１に記載の携帯端末。
【請求項３】
前記スライド手段が、前記第２筐体に固定された第１のスライド部材と、前記第１筐体に連結され、前記第１のスライド部材に対してスライド可能な第２のスライド部材とを備え、前記第１のスライド部材には逃げ溝が形成され、前記回動端部には前記逃げ溝を移動するガイド部が形成され、前記第２のスライド部材には、前記ガイド部が前記逃げ溝を移動する際に前記ガイド部のスライド方向に対して垂直方向への移動を許容するガイド溝が形成されている請求項２に記載の携帯端末。
【請求項４】
前記一対のガイド部材は、それぞれの一方の端部が前記第２筐体に回動可能に軸支された一対のガイド片を有し、前記一対のガイド片の軸支された側のそれぞれの端部にギア部が形成され、前記ガイド片が前記ギア部同士を互いに噛み合わすことで連結された構成である請求項１から３のいずれか１つに記載の携帯端末。
【請求項５】
前記一対のガイド片のうち少なくとも一方の軸支されていない側の端部にリブが形成され、前記第１のスライド部材には前記リブがスライド方向の端部にある際に付勢力によって前記リブの移動を制限する付勢部材が形成されている請求項４に記載の携帯端末。
【請求項６】
前記第２筐体が、前記第１筐体にヒンジ部によって支持され、前記操作部が露呈される位置にある状態で、前記ヒンジ部によって回動させることで前記表示部が形成された面を、前記操作部が形成された面に対して傾斜させる請求項１から請求項５に記載の携帯端末。
【請求項７】
前記スライド手段が、前記第２筐体に固定された第１のスライド部材と、前記第１筐体に連結され、前記第１のスライド部材に対してスライド可能な第２のスライド部材とを備え、第１のスライド部材には、前記一対のガイド部材を互い回動可能に連結する回動軸と、前記一対のガイド部材それぞれの一方の端部がスライド時にスライド方向に対して垂直方向の位置が同じになるように、前記一対のガイド部材の端部が移動する複数の逃げ溝が形成されている請求項１に記載の携帯端末。
【請求項８】
前記第２のスライド部材には、前記一対のガイド部材の端部が前記逃げ溝を移動する際に、前記第２のスライド部材のスライド方向に対して垂直方向への移動を許容するガイド溝が形成されている請求項７に記載の携帯端末。
【発明の詳細な説明】
【技術分野】
【０００１】
本発明は、携帯端末に関し、特に使用時に筐体同士をスライドさせることができる携帯端末に関する。
【背景技術】
【０００２】
現在、携帯電話やＰＤＡなどの携帯端末では、複数の筐体から構成され、筐体同士を互いにスライドさせる機構のものがある。スライド機構としては、例えば、互いにスライドする筐体同士の一方にガイド溝などを形成し、他方の筐体をガイド溝に沿って移動させる構成である。スライド機構を有する従来の携帯端末としては、例えば、下記特許文献に示すものがある。
【０００３】
【特許文献１】特開２００６−３３３０７９号公報
【特許文献２】特開２００５−００３７９４号公報
【特許文献３】特開２００７−２０１８０号公報
【発明の開示】
【発明が解決しようとする課題】
【０００４】
ところで、現在、携帯端末のデザインの多様化や機能の拡充が進められており、携帯端末の構成に応じて筺体同士をスライドさせる方向や距離が変わってくる。特に、筐体同士をガイド幅に比べて長い距離をスライドさせる場合には、使用者が筐体を把持する際にかかる力の偏り等によって、スライド時に筐体が適性な位置からずれてしまうことや筐体同士がガイド溝において引っかかることに起因して、がたつきが生じ、筐体同士をスムーズにスライドさせることができないことが懸念される。例えば、幅方向寸法が広い筐体同士を縦方向にスライドさせる構成の場合、幅方向の両端部に縦方向に延びるガイド溝がそれぞれ形成される。このとき、それぞれのガイド溝が、筐体の幅方向寸法よりも短くなる。すると、スライド時に、ガイド溝に沿って縦方向にスライドさせると、スライドされる筐体が傾くことによって、一方のガイド溝によって案内される位置と、他方のガイド溝によって案内される相対位置がずれてしまい、ガイド溝においてつっかかりが生じやすい。筐体同士をスライドさせる際にがたつきが生じると、携帯端末の操作が行いづらく、操作時の快適性が低下する点で改善の余地があった。
【０００５】
本発明は、上記事情に鑑みてなされたもので、その目的は、筐体同士をスムーズにスライドさせることができる携帯端末を提供することにある。
【課題を解決するための手段】
【０００６】
本発明の上記目的は、下記構成によって達成される。
（１）操作部が設けられた第１筐体と、
表示部が設けられた第２筐体と、
前記第２筐体を、前記第１筺体に対してスライド移動させるスライド手段と、を備え、
前記スライド手段は、一対のガイド部材を有し、
前記一対のガイド部材は、互いに連結されており、前記スライド移動の際に、一方が回動するのに伴って他方も同期して回動することを特徴とする携帯端末。
（２）前記一対のガイド部材は、前記ガイド部材の回動の中心となる回動軸と、回動する側の回動端部とを有し、スライド時に前記回動端部がスライド方向に平行な直線に対して線対称となる軌跡に沿って移動する上記（１）に記載の携帯端末。
（３）前記スライド手段が、前記第２筐体に固定された第１のスライド部材と、前記第１筐体に連結され、前記第１のスライド部材に対してスライド可能な第２のスライド部材とを備え、前記第１のスライド部材には逃げ溝が形成され、前記回動端部には前記逃げ溝を移動するガイド部が形成され、前記第２のスライド部材には、前記ガイド部が前記逃げ溝を移動する際に前記ガイド部のスライド方向に対して垂直方向への移動を許容するガイド溝が形成されている上記（２）に記載の携帯端末。
（４）前記一対のガイド部材は、それぞれの一方の端部が前記第２筐体に回動可能に軸支された一対のガイド片を有し、前記一対のガイド片の軸支された側のそれぞれの端部にギア部が形成され、前記ガイド片が前記ギア部同士を互いに噛み合わすことで連結された構成である上記（１）から（３）のいずれか１つに記載の携帯端末。
（５）前記一対のガイド片のうち少なくとも一方の軸支されていない側の端部にリブが形成され、前記第１のスライド部材には前記リブがスライド方向の端部にある際に付勢力によって前記リブの移動を制限する付勢部材が形成されている上記（４）に記載の携帯端末。
（６）前記第２筐体が、前記第１筐体にヒンジ部によって支持され、前記操作部が露呈される位置にある状態で、前記ヒンジ部によって回動させることで前記表示部が形成された面を、前記操作部が形成された面に対して傾斜させる上記（１）から（５）に記載の携帯端末。
（７）前記スライド手段が、前記第２筐体に固定された第１のスライド部材と、前記第１筐体に連結され、前記第１のスライド部材に対してスライド可能な第２のスライド部材とを備え、第１のスライド部材には、前記一対のガイド部材を互い回動可能に連結する回動軸と、前記一対のガイド部材それぞれの一方の端部がスライド時にスライド方向に対して垂直方向の位置が同じになるように、前記一対のガイド部材の端部が移動する複数の逃げ溝が形成されている上記（１）に記載の携帯端末。
（８）前記第２のスライド部材には、前記一対のガイド部材の端部が前記逃げ溝を移動する際に、前記第２のスライド部材のスライド方向に対して垂直方向への移動を許容するガイド溝が形成されている上記（７）に記載の携帯端末。
【０００７】
本発明の携帯端末は、第１筐体と第２筐体とをスライド移動させるスライド手段が、互いに連結された一対のガイド部材を有しており、これら一対のガイド部材の一方が回動するのに伴って他方も同期して回動する構成である。すると、第１筐体と第２筐体とをスライドさせる際に、一対のガイド部材の一方を回動させることで他方も相対的に等しい位置まで回動させることができる。このため、携帯端末の筐体同士の幅方向寸法が広く、筐体同士を縦方向にスライドさせる構成の場合、幅方向の両端部に一対のガイド部材を備えることで、スライド時に、ガイド溝に沿って縦方向にスライドさせると、一対のガイド部材が同期して回動することによって、一方のガイド溝に沿って案内される位置と、他方のガイド溝に沿って案内される相対位置がずれることを防止でき、ガイド溝においてつっかかりが生じることを抑えることができる。
したがって、本発明にかかる携帯端末は、筐体同士をスライドさせる際にがたつきが生じにくく、携帯端末の操作が行い易く、操作時の快適性が良好である。
【発明の効果】
【０００８】
本発明によれば、筐体同士をスムーズにスライドさせることができる携帯端末を提供できる。
【発明を実施するための最良の形態】
【０００９】
以下、本発明の実施形態を図面に基づいて詳しく説明する。
図１は、本発明にかかる携帯端末の全体斜視図である。図２は、図１に示す携帯端末をスライドさせた状態を示す全体斜視図である。図３は、携帯端末の筐体を他の筐体に対して傾斜（チルト）させた状態を示す全体斜視図である。
【００１０】
携帯端末１は、第１筐体２と、第２筐体３、及び第１筐体２と第２筐体３とを互いにスライド移動させる後述するスライド手段とを備え、第１筐体２と第２筐体３とが互いにスライド可能な状態で組み合わされた構成である。第１筐体２及び第２筐体３はそれぞれ、幅方向両端部の短辺と縦方向両端部の長辺とに区画された長方形の面を有する略長方体形状を有している。第１筐体２と第２筐体３とは、図１に示すように長方形の面で互いに重ね合わせた位置と、図２に示すようにスライドさせて第２筐体３における第１筐体２側の面を一部露呈させた位置との間で、スライド移動させることができる。
【００１１】
第２筐体３の外側に面した長方形の面には、液晶ディスプレイなどの表示部４が形成されている。
【００１２】
図２に示すように、携帯端末１をスライドさせた状態において、第１筐体２の露呈する面には、携帯端末の使用者が手指によって操作するための操作キーなどが設けられた操作部５が形成されている。
【００１３】
また、携帯端末１は、図３に示すようにスライドさせた状態で、第１筐体２の操作部５が形成された面に対して第２筐体３の表示部４が形成された面を傾斜させる方向に向かって、第２筐体３を立ち上げるため、後述するヒンジ機構が設けられている。第２筐体を立ち上げた状態とすることで、使用者は表示部４を視認しながら操作部５を操作することができるため、使い勝手が良い。
【００１４】
次に、本実施形態の携帯端末のスライド手段の構成を図面に基づいて説明する。  図４は、スライド手段の構成を示す斜視図である。図４に示すように、スライド手段１０は、略長方形プレート状の第１のスライド部材１１と、第１のスライド部材１１をスライド可能に支持する第２スライド部材３１とを有している。
【００１５】
第１のスライド部材１１は、ビスなどの固定手段によって第２筐体３の表示部４が形成された面とは反対側の面に固定される。第１のスライド部材１１の第２筐体３側の面の角部近傍には、ビス止めするためのボス部１７がそれぞれ設けられている。以下の説明においては、第１のスライド部材１１における第２筐体３側の面を表面といい、その反対側の面を裏面という。
【００１６】
第１のスライド部材１１の表面側には、一対のガイド部材２０が設けられている。一対のガイド部材２０は、長尺帯形状を有する一対のガイド片２１ａ，２１ｂを有しており、これら一対のガイド片２１ａ，２１ｂのそれぞれの一方の端部は、回動軸ｓ１，ｓ２を中心として回動可能に第１のスライド部材に軸支されている。
【００１７】
一対のガイド片２１ａ，２１ｂの軸支された側の端部にはそれぞれ、ギア部２２ａ，２２ｂが設けられ、両方のギア部２２ａ，２２ｂが互いの凹凸状の歯が噛み合わされた状態で連結されている。
【００１８】
第１のスライド部材１１には、表面から裏面に貫通するように弧状に開口する一対の逃げ溝１２が形成されている。一対の逃げ溝１２は、スライド方向に対して平行な線に対して互いに線対称となるように設けられている。
【００１９】
一対のガイド片２１ａ，２１ｂにおける軸支されていない側のそれぞれの回動端部２３ａ，２３ｂにはピン穴が設けられ、第１のスライド部材１１の裏面から第２のスライド部材３１に設けられたガイド溝３２と逃げ溝１２とに挿通されているガイドピン２４ａ，２４ｂがピン穴に固定される。ガイドピン２４ａ，２４ｂは、スライド時にガイド溝３２をガイドとして、逃げ溝１２に沿って移動するガイド部として機能する。
【００２０】
一対の逃げ溝１２の一方には、当該逃げ溝１２に沿って移動するガイド部をスライド前の位置とスライド後の位置、つまり、逃げ溝１２の両端位置で係止させるように付勢する付勢部材１４が設けられている。付勢部材１４は、ガイド片２１ｂ上の１点の挙動にあわせて弓状に湾曲した形状を有する与圧バネであり、その両端部がバネ固定ピン１５によって第１のスライド部材１１に固定されている。また、付勢部材１４が設けられた側の逃げ溝１２に沿って移動するガイド片２１ｂには、軸支されていない側の端部に形成された突状の係止部２５が設けられている。係止部２５は、ガイド片２１ｂを移動させるときに、付勢部材１４からの付勢力を受けつつ、付勢部材１４に接触しながら移動する。なお、付勢部材１４は、一対のガイド片２１ａ，２１ｂの少なくとも一方に設ければよいが、両方に設けてもよい。付勢部材１４の具体的な作用については後述する。
【００２１】
第２のスライド部材３１は、長尺板状で、スライド時に第１のスライド部材１１の裏面を支持するスライド支持面３３ａが形成され、支持部として機能する支持板部３３と、支持板部２２の長手方向端部に形成されたヒンジ部３４とを有している。支持板部３３には、一対のガイド片２１ａ，２１ｂの回動端部に固定されたガイドピン２４ａ，２４ｂが挿通され、ガイドとして機能するガイド溝３２が形成されている。
【００２２】
図５は、支持板部の端部の一部を示す拡大図である。なお、図５に示した支持板部の一方の端部を示すが、他方の端部も基本的に同じ構成である。
図５に示すように、支持板部２２の長手方向における両端部近傍には、第１のスライド部材１１の短辺を支持板部２２との間で挟み込むように庇状に突設されたガイドピース３６が設けられている。ガイドピース３６には、挟み込んだスライド部材１１の短辺をスライド可能に支持するスライド溝３６ａが設けられている。このように第１のスライド部材１１は、第２のスライド部材３１に対してスライド可能に取り付けられている。
【００２３】
支持板部３２のヒンジ部３４には、支持板部３２に連結された連結部３７が形成され、連結部３７にはヒンジ穴３８が設けられている。
【００２４】
図６は、第１筐体２と第２筐体３とを連結する状態を示す図である。第２筐体の操作部５が形成された面の端部には、第２筐体３の一方の長辺側端部に沿った領域を窪ませた形状の座部２ａが形成され、第２筐体３を立ち上げていない状態で、座部２ａに第２のスライド部材３１の支持板部３３を当接させることで、スライド支持面３３ａを操作部５が形成された面に対して退避させることができる。
【００２５】
第２筐体３の、座部２ａが設けられた領域の短辺端部の近傍には、第２のスライド部材３１のヒンジ部３４を挿入するための溝部２ｂがそれぞれ設けられている。溝部２ｂにヒンジ部３４を挿入した状態で、第１筐体２の短辺側の両方の側面のうち一方の面（図６において手前側の面）からシャフト７を挿入し、他方の面（図６において奥側の面）からフリーストップヒンジ６を挿入する。そして、シャフト７及びフリーストップヒンジ６を第２のスライド部材３１のヒンジ部３４のそれぞれに開口したヒンジ穴３８に挿通させて第１筐体２に固定することで、第２筐体３を第１筐体２に連結されている。
【００２６】
次に、スライド手段の動作を説明する。
図７は、スライド前のスライド手段の状態を示す平面図である。図８は、スライド前の状態を示す携帯端末の断面図である。図９は、スライド後のスライド手段の状態を示す平面図である。図１０は、スライド後の状態を示す携帯端末の断面図である。ここでは、図７及び図９では、第１のスライド部材１１の表面を平面視した状態を示しており、スライド手段の構成を説明するため、第２筐体などは図には示さず、省略している。
【００２７】
図７及び図８に示すように、スライドさせる前で、第１筐体２と第２筐体３とを重ね合わせている状態では、第２のスライド部材３１のガイドピース３６はそれぞれ、第１のスライド部材１１の短辺においてスライド方向側の端部に位置している。このとき、一対のガイド片２１ａ，２１ｂの回動端部２３ａ，２３ｂは、逃げ溝１２の、スライドさせる方向側の端部に位置している。
【００２８】
スライド時には、使用者が第１筐体２の操作部５が形成された側の面（図８において上面）に対して、第２筐体３全体を短辺の長さ方向に沿って押し進めることで、第２筐体３を第１筐体２に対してスライド移動させることができる。第２筐体３が第１筐体２に対してスライド移動すると同時に、第２筐体３に固定された第１のスライド部材１１が第２のスライド部材３１に対してスライド移動する。すると、第２のスライド部材３１のガイドピース３６が、第１のスライド部材１の短辺に沿って反対側の端部側へ相対的に変位する。
【００２９】
また、第１のスライド部材１１が第２のスライド部材３１に対してスライドするとともに、第２のスライド部材３１によって一対のガイド片２１ａ，２１ｂのガイド部が円弧上に回転移動する。そして、一対のガイド片２１ａ，２１ｂは、第１のスライド部材１１に固定された回動軸ｓ１，ｓ２を回動の中心としてそれぞれ反対向きに回動する。一対のガイド片２１ａ，２１ｂの軸支された側の端部が、互いに噛み合わされたギア部２２ａ，２２ｂとによって連結されているため、一対のガイド片２１ａ，２１ｂとが同じ移動量で回動する。言い換えると、一対の逃げ溝１２に沿って移動するガイド部は、逃げ溝１２を互いに線対称な関係でとらえた場合に、逃げ溝１２に対して対称に等しい位置にある。このように、ガイド片２１ａ，２１ｂは、スライド時に、ガイド部が設けられた回動端部がそれぞれ、スライド方向に平行な直線に対して互いに線対称となる軌跡に沿って移動する。ここで、スライド方向に平行な直線とは、一対の回動端部の位置の中心位置を通過し、且つ、スライド方向（図７の左右方向）に対して平行な線であって、線対称の対称軸となる線をいう。
【００３０】
また、図４及ぶ図５に示すように第２のスライド部材３１には、ガイド溝３２が形成されているため、ガイド部が逃げ溝１２に沿って移動する際にガイド部のスライド方向に対して垂直方向への移動を許容することができる。
【００３１】
図９及び１０に示すように、第２筐体３を第１筐体１に対してスライド移動させる際には、第２のスライド部材３１のガイドピース３６が当該端部において第１のスライド部材１１を固定した第２筐体３の壁部と当接する位置まで移動させることができる。このとき、一対のガイド片２１ａ，２１ｂが、逃げ溝１２において、スライド前に位置した端部とは反対側の端部に位置する。
【００３２】
携帯端末１の使用者は、図７及び図８に示すように、第１筐体２と第２筐体３とを重ね合わせた状態、または、図９及び図１０に示すように、第１筐体２に対して第２筐体３をスライドさせた状態のいずれかで使用することが多い。そこで、本実施形態の携帯端末１は、それぞれの状態のときに、第１筐体２と第２筐体３との位置関係を保持するため、一対のガイド片２１ａ，２１ｂのガイド部をガイド溝に両端部に位置するときに付勢部材によって係止している。
【００３３】
図１１は、付勢部材の動作及び作用を説明する図である。付勢部材１４は、ガイド片２１ｂの挙動に合わせて湾曲した形状を有しており、ガイド片２１ｂの係止部２５が付勢部材１４の湾曲部に接触している状態では、付勢部材１４を構成する与圧バネの反発力を受ける。また、付勢部材１４の両方の端部は、ガイド片２１ｂの回動軸ｓ２を中心とする係止部２５の移動する円状の軌跡から離れる側に緩やかに湾曲している。このため、図１１（ａ）及び（ｃ）に示すように、ガイド片２１ｂが両端部に位置する状態から、図１１（ｂ）に示すスライド時のように回動状態へ移行する際には、付勢部材１４の端部を係止部２５に乗り越えさせて湾曲部側へ押しやる力を加える必要がある。このため、第１筐体２と第２筐体３とを重ね合わせた状態や第１筐体２と第２筐体３とをスライドさせた状態においては、ガイド片２１ｂが端部から離れる方向へ移動することを制限でき、第１のスライド部材１１と第２のスライド部材３１とが互いにスライド移動することを制限できる。こうして、携帯端末１の第１筐体２と第２筐体３とを重ね合わせた状態、及び、第１筐体２に対して第２筐体３をスライドさせた状態で携帯端末１の使用する場合に、第１筐体２及び第２筐体３が不測にスライド移動してしまうことを防止することができる。
【００３４】
なお、付勢部材１４の構成は、上記のような形状のものに限定されず、逃げ溝１２の端部で一対のガイド片２１ａ，２１ｂのいずれかを係止することができれば、他の形状としてもよい。
【００３５】
図１２は、付勢部材の変形例を示す平面図である。なお、図１２では、第１のスライド部材１１を裏面側から平面視した状態を示している。
【００３６】
図１２に示すように、付勢部材は、第２のスライド部材に一対のコイルバネ５４ａ，５４ｂを設け、ガイドピン２４ａ，２４ｂにコイルバネ５４ａ，５４ｂの一方の端部を引っ掛け、他方の端部を第２のスライド部材３１に固定することで、ガイドピン２４ａ，２４ｂを両者の中央側へ引っ張る付勢力を加える構成としている。図１２（ａ）に示すように、ガイドピン２４ａ，２４ｂが逃げ溝１２の端部にある場合には、バネの付勢力によりガイド溝端側に与圧されて停止する。一方、図１２（ｂ）に示すように、ガイドピン２４ａ，２４ｂが逃げ溝１２の端部から離れるほど、ガイドピン２４ａ，２４ｂ同士の間隔が大きくなるため、コイルバネ５４ａ，５４ｂが伸長し、付勢力が次第に大きくなる。このため、スライド時のようにガイドピン２４ａ，２４ｂを逃げ溝１２の端部の位置から移動させる場合には、コイルバネ５４ａ，５４ｂからかかる付勢力と反対向きに力を加える必要がある。このため、第１筐体２と第２筐体３とを重ね合わせた状態や第１筐体２と第２筐体３とをスライドさせた状態においては、ガイド片２１ｂがガイド溝１２の端部から離れる方向へ移動することを制限でき、第１のスライド部材１１と第２のスライド部材３１とが互いにスライド移動することを制限できる。また弓状の溝の頂点（バネが一番伸びきったところ）をこえた時に力の方向が反転するため、反対側に移動させる操作力をアシストする力を与えることが出来る。なお今回は複数本のバネを使った変形例を記載したが、ガイドピン２４ａ，２４ｂに、１本のコイルバネの両端部をそれぞれ引っ掛けて付勢する構成としてもよい。
【００３７】
携帯端末１は、第１筐体２と第２筐体３とをスライド移動させるスライド手段１０が、互いに連結された一対のガイド部材２０を有しており、これら一対のガイド部材２０の一方が回動するのに伴って他方も同期して回動する構成である。すると、第１筐体２と第２筐体３とをスライドさせる際に、一対のガイド部材２０の一方を回動させることで他方も相対的に等しい位置まで回動させることができる。このため、携帯端末１の筐体２，３同士の幅方向寸法が広く、両者を縦方向にスライドさせる構成の場合、幅方向の両端部に一対のガイド部材２０を備えることで、スライド時に、逃げ溝１２に沿って縦方向にスライドさせると、一対のガイド部材２０が同期して回動することによって、一対のガイド部材２０が、一方の逃げ溝１２における位置と、他方の逃げ溝１２における相対位置がずれることを防止でき、逃げ溝１２においてつっかかりが生じることを抑えることができる。
したがって、本発明にかかる携帯端末１は、第１筐体２と第２筐体３とをスライドさせる際にがたつきが生じにくく、携帯端末の操作が行い易く、操作時の快適性が良好である。
【００３８】
なお、本発明は、前述した実施形態に限定されるものではなく、適宜な変形、改良などが可能である。
例えば、一対のスライド部材の構成は上記実施形態のものに限定されず、図１３に示すように他の構成に変形することができる。
【００３９】
図１３は、スライド部材の他の構成を示す平面図である。図１３では、第１のスライド部材を表側から平面視した状態を示している。この構成では、第１のスライド部材１１は、上記実施形態と同様に略長方形の板体形状を有している。第１のスライド部材１１の一方の短辺側近傍に、スライド方向と平行に直線状に切り込まれたスリット状の第１の逃げ溝１１２ａが形成されている。また、第１のスライド部材１１には、第１の逃げ溝１１２ａの端部を円の中心として円弧状に切り込まれた第２の逃げ溝１１２ｂと、該第２の逃げ溝１１２ｂと同じ円の中心で、且つ、径方向外側に円弧状に切り込まれた第３の逃げ溝１１２ｃとが形成されている。さらに、第１のスライド部材１１の一方の長辺側近傍に、スライド方向に対して垂直方向に直線状に切り込まれたスリット状の第４の逃げ溝１１２ｄが形成されている。
【００４０】
なお、第２のスライド部材３１は、上記実施形態のものと同様の構成とすることができる。
【００４１】
第１のスライド部材１１には、一対のガイド部材として機能する長尺の第１のガイド片１２１ａと第２のガイド片１２１ｂとが設けられ、第１のガイド片１２１ａと第２のガイド片１２１ｂとが互いの略中心位置で回転軸ｓ３によって回動自在に固定されている。回転軸ｓ３において、少なくとも一部が突出したピンなどの軸部材１２５で第１のガイド片１２１ａと第２のガイド片１２１ｂとをそれぞれ回動可能に連結し、この軸部材１２５の一部が第２の逃げ溝１１２ｂに案内されつつ、移動可能である。
【００４２】
第１のガイド片１２１ａの一方の端部１２３ａが、第１の逃げ溝１１２ａに沿ってスライド方向と平行に案内されて移動可能であり、第１のガイド片１２１ａの他方の端部１２４ａが、第４の逃げ溝１１２ｄに沿ってスライド方向に対して垂直方向に案内されて移動可能な構成である。
【００４３】
また、第２のガイド片１２１ｂの一方の端部１２３ｂが、第３の逃げ溝１１２ｃに沿ってスライド方向に対して垂直方向に案内されて移動可能で、第２のガイド片１２１ｂの他方の端部１２４ｂが、第２の逃げ溝１１２ｂ及び第３の逃げ溝１１２ｃの円弧形状の中心位置に回動可能に固定された構成である。
【００４４】
第１のガイド片１２１ａの一方の端部１２３ａは、第１のスライド部材１１の裏面側に支持されている第２のスライド部材３１に回動自在に固定されている。また、第２のガイド片１２１ｂの一方の端部１２３ｂは、第２のスライド部材３１のガイド溝１３２によってスライド時にスライド方向に対して垂直方向への移動が許容される。
【００４５】
図１３（ａ）に示すように、スライド前の状態、つまり、第１筐体２と第２筐体３とを重ね合わせた状態では、第１のガイド片１２１ａの一方の端部１２３ａが、第１の逃げ溝１１２ａの端部で、且つ、第２のガイド片１２１ｂの他方の端部１２４ｂが固定された側に近接して位置する。また、第１のガイド片１２１ａの他方の端部１２４ａが第４のガイド溝１１２ｄにおける第３の逃げ溝１１２ｃに近い側の端部に位置し、第２のガイド片１２１ｂの一方の端部１２３ｂが第３の逃げ溝１１２ｃにおける、第４の逃げ溝１１２ｄに近い側の端部に位置している。
【００４６】
スライド時には、第１のガイド片１２１ａの一方の端部１２３ａが第１の逃げ溝１１２ａに沿って直線の軌跡で移動し、同時に、他方の端部１２４ａが、第４の逃げ溝１１２ｄに沿って直線の軌跡で移動する。また、第２のガイド片１２１ｂの一方の端部１２３ｂが、他方の端部１２４ｂが固定された位置を回動の中心として、第３の逃げ溝１１２ｃにおいて円弧状の軌跡上を移動する。第１のガイド片１２１ａと第２ガイド片１２１ｂとを連結する軸部材１２５は、第２の逃げ溝１１２ｂに沿って円弧状の軌跡で移動する。
【００４７】
図１３（ｂ）に示すように、第１のガイド片１２１ａの一方の端部１２３ａが、第１の逃げ溝１１２ａの端部に当接することで、他方の端部１２４ａが第４のガイド溝１１２ｄの端部に当接する。同時に、第２のガイド片１２１ｂの一方の端部１２３ｂが、第３の逃げ溝１１２ｃの端部に当接する。こうすることで、第２のスライド部材３１が第１のスライド部材１１に対してスライドする動作が制限される。
【００４８】
このように、図１３のスライド手段において、第１のスライド部材１１には、一対のガイド片１２１ａ，１２１ｂを互いに回動可能に連結させるため回動軸ｓ３と、一対のガイド片１２１ａ，１２１ｂそれぞれの一方の端部１２３ａ，１２３ｂがスライド時にスライド方向に対して垂直方向の位置が同じになるように、一対のガイド片１２１ａ，１２１ｂの移動する端部１２３ａ，１２３ｂ，１２４ａを案内するための複数の逃げ溝１１２ａ，１１２ｃ，１１２ｄが形成されている構成である。
【００４９】
第１のガイド片１２１ａと第２のガイド片１２１ｂとは互いに軸部材１２５において連結されており、スライド時には同期してそれぞれ移動する。こうするとこで、第１のスライド部材１１に対して第２のスライド部材３１が、相対的に移動する。このとき、第２のスライド部材３１は第１のスライド部材１１の長辺に対して常に平行な状態で移動する。こうすれば、第１のスライド部材１１と第２のスライド部材３１との相対位置がずれることを防止でき、ガイド溝においてつっかかりが生じることを抑えることができる。
【産業上の利用可能性】
【００５０】
本発明は、前述した実施形態に限定されるものではなく、適宜な変形、改良などが可能である。例えば、本体発明にかかる携帯端末は、ＰＤＡ（Personal Digital Assistant）などでもよい。
【図面の簡単な説明】
【００５１】
【図１】本発明にかかる携帯端末の全体斜視図である。
【図２】図１に示す携帯端末をスライドさせた状態を示す全体斜視図である。
【図３】携帯端末の筐体を他の筐体に対して傾斜（チルト）させた状態を示す全体斜視図である。
【図４】スライド手段の構成を示す斜視図である。
【図５】支持板部の端部の一部を示す拡大図である。
【図６】第１筐体と第２筐体とを連結する状態を示す図である。
【図７】スライド前のスライド手段の状態を示す平面図である。
【図８】スライド前の状態を示す携帯端末の断面図である。
【図９】スライド後のスライド手段の状態を示す平面図である。
【図１０】スライド後の状態を示す携帯端末の断面図である。
【図１１】付勢部材の動作及び作用を説明する図である。
【図１２】付勢部材の変形例を示す平面図である。
【図１３】スライド部材の他の構成を示す平面図である。
【符号の説明】
【００５２】
１    携帯端末
２    第１筐体
３    第２筐体
４    表示部
５    操作部
１０  スライド手段
１１  第１のスライド部材
１２  逃げ溝
２０  一対のガイド部材
３１  第２のスライド部材
３２  ガイド溝
３４  ヒンジ部
１１２ａ，１１２ｂ，１１２ｃ，１１２ｄ    逃げ溝
１２１ａ，１２１ｂ    一対のガイド片
１３２    ガイド溝
ｓ１，ｓ２，ｓ３    回動軸
【図１】
2009027499.tif 000003
【図２】
2009027499.tif 000004
【図３】
2009027499.tif 000005
【図４】
2009027499.tif 000006
【図５】
2009027499.tif 000007
【図６】
2009027499.tif 000008
【図７】
2009027499.tif 000009
【図８】
2009027499.tif 000010
【図９】
2009027499.tif 000011
【図１０】
2009027499.tif 000012
【図１１】
2009027499.tif 000013
【図１２】
2009027499.tif 000014
【図１３】
2009027499.tif 000015